(57)【要約】【課題】術者が、患者の歯垢等を取り除く作業をする場合において、術者が歯科治療椅子に座ったままの状態で、振動子を駆動する電力の調整、作業部位を洗浄するための洗浄水の水量を調整することができ、更には、使用中のハンドピースを一時的に載置又は保持することのできるようにした歯科用スケーラ装置を提供する。【解決手段】筐体１２は、電源コントローラ，水源コントローラ等を含み、ハンドピースホルダー１３の調整ボリューム１４，１５等を調整することによって、超音波スケーラ１１に供給されるパワー，水量等を調節する。ハンドピースホルダー１３は、ワークテーブルの上等に置くことができ、術者は、治療椅子に座ったままの状態で超音波振動子のパワー等を調整することができ、ハンドピース１１を一時的に載置することができる。【選択図】        図１
2004321341.tif 000002
【特許請求の範囲】
【請求項１】
スケーラチップを駆動する超音波振動子を有する歯科治療ハンドピースと、前記超音波振動子を駆動する電源部を有する筐体と、前記ハンドピースを載置又は保持するためのハンドピースホルダーとを有し、該ハンドピースホルダーが第１のホースを介して前記筐体と連結され、第２のホースを介して前記ハンドピースと連結されている歯科用スケーラ装置であって、前記ハンドピースホルダーは前記筐体内の電源を調整する電源調整手段を有し、該電源調整手段により調整された電圧を前記第１及び第２のホースを介して前記ハンドピース内の超音波振動子に供給して該超音波振動子を駆動するようにしたことを特徴とする歯科用スケーラ装置。
【請求項２】
前記ハンドピースホルダーは、前記ハンドピースから放出される洗浄水の量を調整する水量調整手段を有し、前記筐体より前記第１及び第２のホースを通して前記ハンドピースに前記洗浄水を供給するようにしたことを特徴とする請求項１に記載の歯科用スケーラ装置。
【請求項３】
前記ハンドピースホルダーは、歯科治療ユニットの一部に載置又は取り付けられ、歯科治療時、術者が治療位置にて前記調整手段を調整し得るようにしたことを特徴とする請求項１または２に記載の歯科用スケーラ装置。
【発明の詳細な説明】
【０００１】
【発明の属する技術分野】
本発明は、歯科用スケーラ装置、より詳細には、必要時のみ歯科治療ユニットの一部に載置又は取り付けられて使用するのに好適な外付け用の歯科用スケーラ装置に関し、特に、術者が、患者の歯垢等を取り除く作業をする場合において、術者が歯科治療椅子に座ったままの状態で、振動子を駆動する電力の調整、作業部位を洗浄するための洗浄水の水量を調整することができ、更には、使用中のハンドピースを一時的に載置又は保持することのできるようにした歯科用スケーラ装置に関する。
【０００２】
【従来の技術】
図２は、従来の歯科治療ユニットの一例を説明するための要部全体構成図で、歯科治療椅子１、ワークテーブル２、スピットン３、無影灯４、インスツルメントホルダ５、フットスイッチ６、アシスタント用インスツルメントホルダ７、アーム８等からなり、インスツルメントホルダ５には、歯科治療において使用する種々のインスツルメント９が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
図３は、本出願人が先に提案した単独式の歯科用スケーラ装置の一例（特許文献１）を説明するため図で、図中、１１は内部に超音波振動子を有する歯科用ハンドピース、１２は外部商用電源（図示しない）と接続され、外部商用電源からの電圧を調整してハンドピース１１に供給するための電源部を有する筐体で、該筐体１２には、電源スイッチ１２１，パワー調整スイッチ１２２，パワー表示部１２３等が設けられている。
【０００４】
この歯科用スケーラ装置は、筐体１２をカート（図示しない）に載せたり、歯科治療ユニットのワークテーブル２やアーム８等に載せて使用するが、その場合、電源スイッチ１２１や、パワー調整スイッチ１２２が手元から遠くなるため、無線コントローラ２１、或いは、有線コントローラ２２に設けたパワー調整スイッチ２３，電源スイッチ２４等を用いて遠隔操作するようにしている。
【０００５】
【特許文献１】
特開２００２―２１９１３７号公報
【０００６】
【発明が解決しようとする課題】
しかし、上記従来技術によると、無線或いは有線のコントローラを必要とし、装置が複雑，高価なものとなり、また、一方の手にインスツルメント（ハンドピース）を持った状態で、他方の手にコントローラを持って該コントローラを操作しなければならず、必ずしも、使用勝手が良いものではなかった。また、治療作業の途中で、作業を中断する時など、ハンドピースを置く場所がなく、例えば、ワークテーブルの上に置くにしても、非衛生的であった。
【０００７】
本発明は、上述のごとき実情に鑑みてなされたもので、必要時のみ歯科治療ユニットの一部に載置又は取り付けられて使用するのに好適な外付け用の歯科用スケーラ装置であって、術者が、患者の歯垢等を取り除く作業をする場合において、術者が歯科治療椅子に座ったままの状態で、振動子を駆動する電力の調整、作業部位を洗浄するための洗浄水の水量を調整することができ、更には、使用中のハンドピースを一時的に載置又は保持することのできるホルダ部を有するハンドピースホルダーを具備し、該ハンドピースホルダーをワークテーブルの上に載置して使用し得るようにした歯科用スケーラ装置を提供することを目的としてなされたものである。
【０００８】
【課題を解決するための手段】
請求項１の発明は、スケーラチップを駆動する超音波振動子を有する歯科治療ハンドピースと、前記超音波振動子を駆動する電源部を有する筐体と、前記ハンドピースを載置又は保持するためのハンドピースホルダーとを有し、該ハンドピースホルダーが第１のホースを介して前記筐体と連結され、第２のホースを介して前記ハンドピースと連結されている歯科用スケーラ装置であって、前記ハンドピースホルダーは前記筐体内の電源を調整する電源調整手段を有し、該電源調整手段により調整された電圧を前記第１及び第２のホースを介して前記ハンドピース内の超音波振動子に供給して該超音波振動子を駆動するようにしたことを特徴としたものである。
【０００９】
請求項２の発明は、請求項１の発明において、前記ハンドピースホルダーは、前記ハンドピースから放出される洗浄水の量を調整する水量調整手段を有し、前記筐体より前記第１及び第２のホースを通して前記ハンドピースに前記洗浄水を供給するようにしたことを特徴としたものである。
【００１０】
請求項３の発明は、請求項１または２の発明において、前記ハンドピースホルダーは、歯科治療ユニットの一部に載置又は取り付けられ、歯科治療時、術者が治療位置にて前記調整手段を調整し得るようにしたことを特徴としたものである。
【００１１】
【発明の実施の形態】
図１は、本発明による歯科用スケーラ装置の一実施例を説明するための要部概略構成図で、図中、１１は内部に超音波振動子や洗浄水放水回路を有する歯科治療ハンドピース、１２は外部商用電源や外部水道管と接続され、外部商用電源からの電圧を調整してハンドピース１１に供給するための電源部、外部水道管から供給される水の量を調整してハンドピース１１に供給する水回路等を有する筐体、１３は前記電圧や水量を調整する調整ボリューム１４，１５等を有し、かつ、ハンドピース１１の載置部１６を有するハンドピースホルダーで、該ハンドピースホルダー１３は第１のホース１７を通して筐体１１と連結され、第２のホース１８を通してハンドピース１１と連結されている。
【００１２】
歯科治療時に、術者が、例えば、超音波パワー調整用のボリューム１４を回すと、該ボリューム１４の回転量に応じてハンドピース１１に供給される電圧が調整され、洗浄水量調整用のボリューム１５を回すと、該ボリューム１５の回転量に応じてハンドピースホルダー１３内のバルブが開き、ハンドピース１１から放出される洗浄水の量が調整される。
【００１３】
上記歯科用スケーラ装置を使用する時は、例えば、筐体１２を給排水ボックスの上等邪魔にならないところに置き、ハンドピースホルダー１３をワークテーブル上等に載置する。このようにすると、ハンドピースホルダー１３を小型化することができ、ワークテーブル上のスペースをあまりとることなく、容易に載せて使用することができ、パワー調整用や洗浄水量調整用のボリューム１４，１５の操作も容易に行なうことができ、しかも、治療作業中断時に、ハンドピース１１を一時的にハンドピースホルダー１３の載置部１６に載置することができる。
【００１４】
なお、以上の説明では、ハンドピースホルダー１３をワークテーブル上に載置しているが、例えば、インスツルメントホルダー等、術者が歯科治療を行なうための椅子に座ったままの状態で上記超音波パワー調整用ボリューム１４，洗浄水量調整用ボリューム１５等の調整手段を操作できる位置であれば、任意所望の位置に載置することができ、また、ハンドピースホルダーはワークテーブル等に載置されることに限らず、ハンドピースホルダーに取付部を設けてワークテーブル等に取り付けるようにしてもよい。また、ハンドピース１１が超音波振動子や水回路に加えて、更に、照明用光源を有し、ハンドピース使用時、該ハンドピースの先端から光が放射されるようにしてもよい。
【００１５】
【発明の効果】
以上に説明したように、本発明によると、必要時のみ歯科治療ユニットの一部に載置又は取り付けられて使用するのに好適で、術者が患者の歯垢等を取り除く作業をする場合において、術者が歯科治療椅子に座ったままの状態で、振動子を駆動する電力の調整、作業部位を洗浄するための洗浄水の水量を調整することができ、更には、治療中断時にハンドピースを一時的に載置又は保持することが可能な歯科用スケーラ装置を提供することができる。
【図面の簡単な説明】
【図１】本発明による歯科用スケーラ装置の一実施例を説明するための要部概略構成図である。
【図２】従来の歯科治療ユニットの一例を説明するための要部全体構成図である。
【図３】従来の単独式の歯科用スケーラ装置の一例を説明するための図である。
【符号の説明】
１…歯科治療椅子、２…ワークテーブル、３…スピットン、４…無影灯、５…インスツルメントホルダ、６…フットコントローラ、７…アシスタント用インスツルメントホルダ、８…アーム、９…インスツルメント、１１…筐体、１２…歯科用ハンドピース、１３…ハンドピースホルダー、１４…超音波パワー調整用のボリューム、１５…洗浄水量調整用のボリューム、１６…ハンドピース載置部、１７…第１のホース、１８…第２のホース。
【図１】
2004321341.tif 000003
【図２】
2004321341.tif 000004
【図３】
2004321341.tif 000005